(57)【要約】【課題】  射出成形機フレーム空間部に周辺機器を納めるため、幅方向部材を取り払い、周辺機器等が容易に同空間部に納入できるようにしたフレームは強度的に弱いという欠点があり、この欠点を補うフレームを提供する。【解決手段】  部材を枠状に取り付けた下枠と、この下枠と同様構成の上枠と、同下枠に垂直に取り付けられ、前記上枠を支える複数個の支柱枠により直方体を形成する形締装置および射出装置を前後方向に配置した射出成形機を搭載するフレームにおいて、少なくとも直方体前後端部の一方の下枠幅方向部材を選択的に取り外し、枠状態を解消可能にしたことを特徴とする射出成形機のフレームとした。【選択図】        図１
2009137229.tif 000002
【特許請求の範囲】
【請求項１】
部材を枠状に取り付けた下枠と、この下枠と同様に枠状に取り付けた上枠と、同下枠に垂直に取り付けられ、前記上枠を支える複数個の支柱枠により直方体の形状に形成され、形締装置および射出装置を前後方向に配置した射出成形機を搭載するよう構成されたフレームにおいて、少なくとも直方体前後端部の一方の下枠幅方向部材を選択的に取り外し、枠状態を解消可能にしたことを特徴とする射出成形機のフレーム。
【請求項２】
前記下枠幅方向部材は、両端部をボルト等により取り付けたことを特徴とする請求項１記載の射出成形機のフレーム。
【請求項３】
前記下枠幅方向部材は、一端を支点とて回動可能にしたことを特徴とする請求項１記載の射出成形機のフレーム。
【請求項４】
前記下枠幅方向部材の回動は、下枠に対し水平方向で行うことを特徴とする請求項３記載の射出成形機のフレーム。
【請求項５】
前記下枠幅方向部材の回動は、下枠に対し垂直方向で行うことを特徴とする請求項３記載の射出成形機のフレーム。
【請求項６】
前記下枠幅方向部材は、支柱枠に沿って上方向に平行移動可能にしたことを特徴とする請求項１記載の射出成形機のフレーム。
【請求項７】
前記回動あるいは上方向に平行移動した下枠幅方向部材は、移動位置を保つための位置保持装置を有することを特徴とする請求項４ないし請求項６の内のいずれか１項に記載の射出成形機のフレーム。
【発明の詳細な説明】
【技術分野】
【０００１】
本発明は、射出成形機のフレームに関する。
【背景技術】
【０００２】
従来から図６に示すようにこの種射出成形機のフレーム１については、一般に金属の部材を枠状に取り付けた下枠２と、この下枠２と同構成の上枠３と、同下枠３に垂直に取り付けられ、前記上枠を支える複数個の支柱枠４により直方体形状の枠体を形成し、型締装置５および射出装置６を前後方向に配置して、射出成形機を搭載している。このフレーム１内部の空間には、成形品取り出しスペース、射出成形機を駆動するための各種の電気的の制御盤および制御用の油圧機構等を設けてある。
【０００３】
しかしながら電動式射出成形機では、油圧式射出成形機のように油圧機構等がなく、フレーム１内部には何も利用されない空間部７が形成されることがある。
【０００４】
一方、温調機等の別置きの周辺機器は、比較的大きなスペースを要し、作業スペースを狭めるため前述のフレーム空間部７にこれらの周辺機器を納めることが行われている。このような温調器のような周辺機器は、比較的重量があり、フレーム下枠３の幅方向部材８を乗越えさせて矢印Ｅ方向から空間部７に納めることは、作業が非常に困難で、注意深さも必要とする。そのため特許第２７１１４９０号においては、フレーム下枠３の前後方向の少なくとも１方の幅方向部材８を取り払い、周辺機器等が容易にフレーム空間部７に納入できるような構成が開示されている。
【特許文献１】特許第２７１１４９０号
【発明の開示】
【発明が解決しようとする課題】
【０００５】
しかしながら、前述の特許第２７１１４９０号に記載されているフレームでは、前後方向の少なくとも１方の幅方向部材を取り付けてないので、比較的小型の射出成形機では良いが、寄り大型の射出成形機の枠体としては、強度的に弱いという欠点があり、さの克服が課題となっていた。
【０００６】
本発明の目的は、前述の欠点を解消する射出成形機のフレームを提供することにある。
【課題を解決するための手段】
【０００７】
前述の目的を達成するため本発明は、部材を枠状に取り付けた下枠と、この下枠と同様に枠状に取り付けた上枠と、同下枠に垂直に取り付けられ、この上枠を支える複数個の支柱枠により直方体の形状に形成され、形締装置および射出装置を前後方向に配置した射出成形機を搭載するフレームにおいて、少なくとも直方体前後端部の一方の下枠幅方向部材を選択的に取り外し、枠状態を解消可能にしたことを特徴とする射出成形機のフレームとした。
【０００８】
また下枠幅方向部材は、両端部をボルト等により取り付けた射出成形機のフレームとすれば、好適である。
【０００９】
また下枠幅方向部材は、一端を支点とて下枠に対し水平方向あるいは垂直方向に回動可能にしたことを特徴とする射出成形機のフレームとすれば、より好適である。
【００１０】
さらに下枠幅方向部材は、支柱枠に沿って上方向に平行移動可能にしたことを特徴とする射出成形機のフレームとすれば、より好適である。
【００１１】
さらにまた回動或いは上方向に平行移動した下枠幅方向部材は、移動位置を保つための位置保持装置を設ければより好適な射出成形機のフレームとなる。
【発明の効果】
【００１２】
この発明によれば、周辺機器等をフレーム内の空間に出し入れしないときは、下枠幅方向部材は下枠を枠状に保っており、強度的に弱くなるこという課題は克服される。
【発明を実施するための最良の形態】
【００１３】
次に本発明の１実施形態例を、射出成形機の型締装置搭載部分で説明する。
図１および図２により説明する。１０は、射出せい景気を総裁するたのフレームで、鎖線で示す型締装置１１が、搭載されている。このフレーム１０は部材を枠型に組んだ下枠１２と、同じく部材を枠型に組んだ上枠１３と、下枠１２に垂直に複数個設けた支柱枠１４により上枠１３を支え、全体として直方体の形状のフレームを形成し、フレーム１０内に空間部１５を形成する。
【００１４】
このように構成されているので、周辺機器である例えば温調機１６をフレーム内の空間部１５に入れないときは幅方向部材１７が下枠１２にボルト１８により取り付けられて枠状に保ち、図２（イ）に示す状態となっていて、温調機１６を矢印Ｃのようにフレーム内の空間部１５に入れるときには、ボルト１８が外され、また、幅方向部材１７は、下枠１２から取り外されて、したがって端面１９歯、開放され図２（ロ）の状態となり、温調機１６を空間部１５に容易に入れることが可能となる。
逆に空間部１５内の温調機１６を引出す場合も、前述のように幅方向部材１７を取り外し、端面１９を開放状態にした後、温調機１６の引出しを行うことができる。
【００１５】
前述の実施形態は幅方向部材をボルトにより下枠に取り付けた例を説明したが、勿論これに限ったものでなく、射出成形機が小型で幅方向部材が比較的軽量である場合には例えば図３の様に幅方向部材２０を一端Ａを支点として回動可能に取り付け、他端Ｂのボルト２１を外した後、他端Ｂを下枠に対し垂直方向に回動させ鎖線２０ａとして端面１９の開放するようにしも良く、さらに幅方向部材２０ａの移動位置を保つため、他端Ｂのボルト穴に前記ボルト２１によりフレームに取り付けることができる。
ここで射出成形機が大型で幅方向部材が重い場合には下枠に対し水平方向に回動させることも可能である。
【００１６】
また図４および図５に示すように、幅方向部材３０を支柱枠３１に設けた溝３２に沿って上方向に平行移動可能にし、幅方向部材３０ａとして端面３３の開放をおこなうようにしても良い。その場合、幅方向部材３０ａの落下防止としてピン３４等の溝３２内に突き出し落下防止を行えば良い。
その他、下枠幅方向部材の位置保持手段としては、球体とバネと球体のとめ板を使用して、位置保持や落下防止を行っても良く、幅方向部材の固定、落下防止のための手段は、その他種々実現できる。
【００１７】
以上のように構成されているのでフレームの強度を低下させること無く、しかも容易に温度調整装置、測定装置などの周辺機器等をフレーム内の空間部に出し入れすることが可能であり、フレーム（枠体）の強度上の課題も克服される。
【図面の簡単な説明】
【００１８】
【図１】この発明が適用される一実施形態の例を示し、型締装置が搭載されているフレーム部分を示す斜視図である。
【図２】この発明が適用される１実施形態を示し、図１のＺ方向から見た端面の図で、（イ）は端面を開放してない図、（ロ）は端面を開放したときの図である。
【図３】この発明が適用される他の実施形態を示し、幅方向部材の一端を支点として回動させる例を説明した図で、（イ）は端面を開放してない図、（ロ）は端面を開放したときの図である。
【図４】この発明が適用されるさらに他の実施形態を示し、幅方向部材を上方向に平行移動させる例を説明した図で、（イ）は端面を開放してない図、（ロ）は端面を開放したときの図である。
【図５】図４の断面Ｄ‐Ｄの拡大した図である。
【図６】従来の射出成形機の説明図である。
【符号の説明】
【００１９】
１０  フレーム
１１  型締装置
１２  下枠
１３  上枠
１４、３１  支柱枠
１５  空間部
１６  温調機
１７、２０、３０  幅方向部材
１８、２１  ボルト
１９、３３  端面
３２  溝
３４  ピン
【図１】
2009137229.tif 000003
【図２】
2009137229.tif 000004
【図３】
2009137229.tif 000005
【図４】
2009137229.tif 000006
【図５】
2009137229.tif 000007
【図６】
2009137229.tif 000008